【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
生体感知装置であって、
光源回路と、
光感知回路と、
前記光感知回路に結合され、前記光感知回路により生成される電流を電圧に変換するように構成されるトランスインピーダンス増幅器と、
前記トランスインピーダンス増幅器に結合され、前記第１のトランスインピーダンス増幅器からの前記電圧をデジタル値に変換するように構成されるアナログデジタルコンバータ（ＡＤＣ）と、
前記ＡＤＣと前記光源回路とに結合されるコントローラであって、
第１の周囲感知フェーズと第２の周囲感知フェーズとが後に続く光源感知フェーズを開始し、前記光源感知フェーズと前記第１の周囲感知フェーズとの間の第１の時間期間が前記第１及び第２の周囲感知フェーズの間の第２の時間期間に等しく、
前記光源感知フェーズにおいて、前記光源回路がイネーブルされる一方で前記ＡＤＣからデジタル値を受信し、
前記第１及び第２の周囲感知フェーズの各々において、前記光源回路がディセーブルされる一方で前記ＡＤＣからデジタル値を受信し、
前記第１の周囲感知フェーズの間に受信されたデジタル値が前記第２の周囲感知フェーズの間に受信されたデジタル値の閾値内となるまで、前記第１及び第２の時間期間を等しく保つ一方で前記第２の時間期間を反復的に変更する、
ように構成される、前記コントローラと、
を含む、生体感知装置。
【請求項２】
請求項１に記載の生体感知装置であって、
前記光感知回路が単一の光検出器を含む、生体感知装置。
【請求項３】
請求項１に記載の生体感知装置であって、
前記光感知回路が第１の光検出器と第２の光検出器とを含む、生体感知装置。
【請求項４】
請求項３に記載の生体感知装置であって、
腕に着けるバンドと、前記光源回路と前記トランスインピーダンス増幅器と前記ＡＤＣと前記コントローラとを収容する筐体とを更に含み、
前記筐体が第１及び第２の表面を含み、前記第１の表面が人の腕に対向して置かれるように構成され、前記第２の表面が前記第１の表面の反対であり、
前記第１の光検出器が前記第１の表面上に配置され、前記第２の光検出器が前記第２の表面上に配置される、生体感知装置。
【請求項５】
請求項１に記載の生体感知装置であって、
前記コントローラが、前記第１及び第２の周囲感知フェーズの間に受信されたデジタル値の間の差の前記コントローラによる演算を通して、前記第１の周囲感知フェーズの間に受信されたデジタル値が前記第２の周囲感知フェーズの間に受信されたデジタル値の閾値内となるかを判定するように更に構成される、生体感知装置。
【請求項６】
請求項５に記載の生体感知装置であって、
前記コントローラが前記差の２乗を演算するように更に構成される、生体感知装置。
【請求項７】
請求項５に記載の生体感知装置であって、
前記コントローラが前記差の絶対値を演算するように更に構成される、生体感知装置。
【請求項８】
請求項５に記載の生体感知装置であって、
前記コントローラが、
第１及び第２の周囲感知フェーズの複数セットを介する間に前記ＡＤＣから複数のデジタル値を読み出し、
各第１の周囲感知フェーズと対応する第２の周囲感知フェーズとの間に読み出された前記デジタル値の差の平均を計算する、
ように更に構成される、生体感知装置。
【請求項９】
請求項１に記載の生体感知装置であって、
前記コントローラが、心拍数値と周辺酸素飽和値とパルス遷移時間とのうちの少なくとも１つを判定するように更に構成される、生体感知装置。
【請求項１０】
システムであって、
第１の光検出器と、
前記第１の光検出器に結合され、前記第１の光検出器により生成される電流を電圧に変換するように構成される第１のトランスインピーダンス増幅器と、
第２の光検出器と、
前記第２の光検出器に結合され、前記第２の光検出器により生成される電流を電圧に変換するように構成される第２のトランスインピーダンス増幅器と、
前記第１及び第２のトランスインピーダンス増幅器からの電圧を対応するデジタル値に変換するように構成されるアナログデジタルコンバータ（ＡＤＣ）と、
前記ＡＤＣに結合されるコントローラであって、
第１及び第２の周囲感知フェーズの複数のセットの間に光源がディセーブルされる一方で前記ＡＤＣからデジタル値を反復的に読み出し、前記第１の周囲感知フェーズが可変時間分離により所与のセットの前記第２の周囲感知フェーズから分離され、前記時間分離が第１及び第２の周囲感知フェーズの各後続のセットに応じて調節され、
周囲感知フェーズの各セットの間に読み出された前記デジタル値の間の差を計算し、
前記計算された差を処理することから周囲光の近似期間を判定し、
前記判定された近似周囲光期間を用いて、前記光源がイネーブルされる光源感知フェーズと、前記光源がディセーブルされる周囲感知フェーズとの時間分離を構成する、
ように構成される、前記コントローラと、
を含む、システム。
【請求項１１】
請求項１０に記載のシステムであって、
前記コントローラが、前記構成された時間期間により分離された光源及び周囲感知フェーズの間に前記ＡＤＣから読み出されたデジタル値を用いて人の生体物理学的パラメータを演算するように更に構成される、システム。
【請求項１２】
請求項１０に記載のシステムであって、
腕に着けるバンドと、前記光源回路と前記トランスインピーダンス増幅器と前記ＡＤＣと前記コントローラとを収容する筐体とを更に含み、
前記筐体が第１及び第２の表面を含み、前記第１の表面が人の腕に対向して置かれるように構成され、前記第２の表面が前記第１の表面の反対であり、
前記第１の光検出器が前記第１の表面上に配置され、前記第２の光検出器が前記第２の表面上に配置される、システム。
【請求項１３】
請求項１０に記載のシステムであって、
前記コントローラが、最小の計算された差に対応する前記調節された時間期間の判定を介して、前記周囲光の前記期間に近似するように更に構成される、システム。
【請求項１４】
請求項１３に記載のシステムであって、
前記コントローラが、前記周囲光の前記近似された期間の整数倍数であるように前記時間期間を構成するように更に構成される、システム。
【請求項１５】
請求項１０に記載のシステムであって、
前記光源回路が発光ダイオード（ＬＥＤ）を含む、システム。
【請求項１６】
生体感知装置を較正する方法であって、
複数の反復を実施することであって、各反復が、前記生体感知装置における光源がオフにされる第１の周囲光フェーズの間に周囲光の大きさを測定することと、構成可能な時間遅延の後にまた前記光源がオフにされる第２の周囲光フェーズの間に周囲光の大きさを測定することと、前記測定された大きさの間の差が閾値より大きいと判定することと、前記構成可能な時間遅延を調節することとを含む、前記複数の反復を実施することと、
前記差に基づいて測定時間期間を計算するために前記差が前記閾値より小さくなるまで前記複数の反復を実施することと、
前記測定時間期間に基づいて時間間隔によって分離される測定値を得るために前記生体感知装置を構成することと、
を含む、方法。
【請求項１７】
請求項１６に記載の方法であって、
周囲光と、前記生体感知装置における光源により生成される人からの反射光との測定を用いて、生体物理学的パラメータを演算することを更に含み、
前記測定値が前記測定時間期間に基づいて前記時間間隔により分離される、方法。
【請求項１８】
請求項１７に記載の方法であって、
前記時間間隔が前記測定時間期間の整数倍数である、方法。
【請求項１９】
請求項１６に記載の方法であって、
前記差が前記閾値より大きいと判定することが、前記差の絶対値又は２乗を計算することを含む、方法。